(57)【要約】【課題】所定の装着位置で側縁に凹部が形成された第１カードを強固に保持でき、しかも側縁に凹部が形成されていない第２カードが挿入された際の係合弾性部材の塑性変形を防止できるカード用コネクタ装置の提供。【解決手段】第１，第２カード１，５を排出方向へ押し出すスライダ１２と、このスライダ１２を排出方向へ付勢する付勢部材１３と、第１カード１の凹部２に係合し、この第１カード１を所定の装着位置に保持する係合弾性部材１５とを備えるとともに、第１カード１が所定の装着位置に保持されている状態で、係合弾性部材１５の凹部２からの離脱を規制する規制部、すなわち壁部３０と、第２カード５が挿入された際に、上述の壁部３０による係合弾性部材１５に対する規制を解除する規制解除手段、すなわち切り欠き３１とを設けた構成にしてある。【選択図】      図５
2004185818.tif 000002
【特許請求の範囲】
【請求項１】
カードを排出方向へ押し出すスライダと、このスライダを排出方向へ付勢する付勢部材と、側縁に凹部が形成された第１カードの上記凹部に係合し、この第１カードを所定の装着位置に保持する係合弾性部材とを備えるとともに、
上記第１カードが上記所定の装着位置に保持されている状態で、上記係合弾性部材の上記凹部からの離脱を規制する規制部と、
側縁に上記係合弾性部材が係合する凹部が形成されていない第２カードが挿入された際に、上記規制部による上記係合弾性部材に対する規制を解除する規制解除手段とを備えたことを特徴とするカード用コネクタ装置。
【請求項２】
上記請求項１記載の発明において、
上記係合弾性部材が片持ち支持されるものであり、
上記規制部が、ハウジングに設けられ、上記第１カードが上記所定の装着位置に保持されている状態で、上記係合弾性部材の自由端部の移動を規制する壁部から成り、
上記規制解除手段が、上記第２カードが挿入された際、上記係合弾性部材の上記自由端部の上記壁部の外側方向への移動を許容させる許容手段から成ることを特徴とするカード用コネクタ装置。
【請求項３】
上記請求項２記載の発明において、
上記許容手段が、上記係合弾性部材に設けられ、この係合弾性部材と上記壁部との衝合を生じさせない切り欠きから成ることを特徴とするカード用コネクタ装置。
【請求項４】
上記請求項１記載の発明において、
上記カードが所定の装着位置に至ったときに、上記スライダを上記付勢部材の付勢力に抗してロックするロック機構を備えたことを特徴とするカード用コネクタ装置。
【請求項５】
上記請求項４記載の発明において、
上記ロック機構が、上記スライダに揺動可能に設けられ、ピンを有する摺動部材と、この摺動部材の上記ピンが案内されるハート型カム溝とを含むことを特徴とするカード用コネクタ装置。
【発明の詳細な説明】
【０００１】
【発明の属する技術分野】
本発明は、情報記憶機能を有し、側縁に凹部が形成されたカードの収納が可能なカード用コネクタ装置に関する。
【０００２】
【従来の技術】
この種の従来技術として、側縁に凹部が形成されたカードを排出方向へ押し出すスライドプレート、すなわちスライダと、このスライダを排出方向へ付勢するバネ、すなわち付勢部材と、カードの上述の凹部に係合し、このカードを所定の装着位置に保持する弾性ロックアーム、すなわち弾性係合部材と、カードの裏面に形成された外部接点、すなわち接続部材と接触して外部信号系統との間で信号の送受信が可能な端子部、すなわち端子部材とを備えたものがある。
【０００３】
この従来技術では、カードが挿入されると、このカードの前端部によってスライダが付勢部材の付勢力に抗して所定の装着位置まで移動する。所定の装着位置にあっては係合弾性部材がカードの凹部に係合した状態に保たれ、これによってカードは保持される。この状態にあっては、カードの接続部材がこのコネクタ装置の端子部材に接触し、カードに対する信号の送受信が可能となる（例えば、特許文献１参照。）。
【０００４】
【特許文献１】
特開２０００−２７７２０７
（段落番号００２３〜００２９、図１０）
【０００５】
【発明が解決しようとする課題】
ところで、所定の装着位置においてカードを強固に保持させるために、この所定の装着位置に保持されているカードの凹部に係合している係合弾性部材を、弾性変形しにくい構造とすることが考えられる。しかし、このように所定の装着位置において、係合弾性部材を弾性変形しにくい構造とすると、以下のような別の問題が生じる。
【０００６】
すなわち、この種のカード用コネクタ装置で使用可能なカードには、上述のように側縁に凹部が形成されたカードの他に、ほぼ同じ幅寸法で側縁に凹部が形成されていない別のカードがある。
【０００７】
上述のように所定の装着位置において、係合弾性部材を弾性変形しにくい構造としたときに、上述の別のカードが挿入されると、この別のカードの側縁によって係合弾性部材が押圧され、この係合弾性部材が塑性変形する懸念がある。このような塑性変形を起こすと、装置の信頼性が著しく低下してしまう。
【０００８】
本発明は、上述した従来技術における実状からなされたもので、その目的は、所定の装着位置で側縁に凹部が形成された第１カードを強固に保持でき、しかも側縁に凹部が形成されていない第２カードが挿入された際の係合弾性部材の塑性変形を防止できるカード用コネクタ装置を提供することにある。
【０００９】
【課題を解決するための手段】
上記目的を達成するために、本発明は、カードを排出方向へ押し出すスライダと、このスライダを排出方向へ付勢する付勢部材と、側縁に凹部が形成された第１カードの上記凹部に係合し、この第１カードを所定の装着位置に保持する係合弾性部材とを備えるとともに、上記第１カードが上記所定の装着位置に保持されている状態で、上記係合弾性部材の上記凹部からの離脱を規制する規制部と、側縁に上記係合弾性部材が係合する凹部が形成されていない第２カードが挿入された際に、上記規制部による上記係合弾性部材に対する規制を解除する規制解除手段とを備えたことを特徴としている。
【００１０】
このように構成した本発明は、第１カードが挿入されると、この第１カードと一体的にスライダが付勢部材の付勢力に抗して所定の装着位置まで移動する。この間、第１カードの凹部に係合弾性部材が係合する。したがって、第１カードは所定の装着位置において係合弾性部材によって保持される。このように所定の装着位置に第１カードが保持された状態で、第１カードに対する信号の送受信が可能となる。また、このように第１カードが所定の装着位置に保持されている状態では、規制部によって係合弾性部材は動きに制約が与えられる。これにより、係合弾性部材の第１カードの凹部からの離脱が規制される。すなわち、所定の装着位置で側縁に凹部が形成された第１カードを強固に保持できる。
【００１１】
一方、側縁に凹部が形成されていない第２カードが挿入されると、カードと一体にスライダが付勢部材の付勢力に抗して所定の装着位置まで移動するものの、規制解除手段によって、上述した規制部による係合弾性部材に対する規制が解除される。したがって、第２カードの側縁に係合弾性部材が接触したときには、この第２カードに与えられる押し込み力によって係合弾性部材が自身の弾性に抗して第２カードから離れる方向に動かされ、これによって係合弾性部材の塑性変形を防止できる。
【００１２】
また本発明は、上記発明において、上記係合弾性部材が片持ち支持されるものであり、上記規制部が、ハウジングに設けられ、上記第１カードが上記所定の装着位置に保持されている状態で、上記係合弾性部材の自由端部の移動を規制する壁部から成り、上記規制解除手段が、上記第２カードが挿入された際、上記係合弾性部材の上記自由端部の上記壁部の外側方向への移動を許容させる許容手段から成ることを特徴としている。
【００１３】
このように構成した本発明は、第１カードが所定の装着位置にあるときには、第１カードの凹部に係合している係合弾性部材の自由端部の動きは、ハウジングに設けた壁部によって規制される。すなわち、係合弾性部材は壁部によって動きに制約が与えられ、第１カードの凹部からの係合弾性部材の離脱が規制される。
【００１４】
また、凹部が形成されていない第２カードが挿入されると、許容手段によって係合弾性部材の自由端部が壁部の外側方向へ移動する。すなわち、第２カードの挿入に伴って係合弾性部材が、自身の弾性に抗して第２カードから離れる方向に移動する。
【００１５】
また本発明は、上記発明において、上記許容手段が、上記係合弾性部材に設けられ、この係合弾性部材と上記壁部との衝合を生じさせない切り欠きから成ることを特徴としている。
【００１６】
このように構成した本発明は、凹部が形成されていない第２カードが挿入されると、係合弾性部材に設けた切り欠きを介して、この係合弾性部材の自由端部が壁部の外側方向へ移動する。
【００１７】
また本発明は、上記発明において、上記カードが所定の装着位置に至ったときに、上記スライダを上記付勢部材の付勢力に抗してロックするロック機構を備えたことを特徴としている。
【００１８】
このように構成した本発明は、第１カードあるいは第２カードが所定の装着位置に至ったときには、これらの第１カード、第２カードを排出方向へ押し出すスライダがロック機構によってロックされる。したがって、第１カードあるいは第２カードを確実に所定の装着位置に係止させることができる。
【００１９】
また本発明は、上記発明において、上記ロック機構が、上記スライダに揺動可能に設けられ、ピンを有する摺動部材と、この摺動部材の上記ピンが案内されるハート型カム溝とを含むことを特徴としている。
【００２０】
このように構成した本発明は、第１カードあるいは第２カードが挿入されると、スライダの移動に伴って摺動部材のピンがハート型カム溝上を案内される。スライダが所定の装着位置に至ると、摺動部材のピンがハート型カム溝に係止される。これによりスライダが、付勢部材の付勢力で排出方向へ移動しないようにロックされる。
【００２１】
【発明の実施の形態】
以下，本発明のカード用コネクタ装置の実施形態を図に基づいて説明する。
【００２２】
［基本構成］
図１は本発明のカード用コネクタ装置の一実施形態の基本構成を示す図である。
【００２３】
はじめに、本実施形態に使用可能な２種のカードについて説明する。これらのカードは共に情報記憶機能を有する。図１に示すように第１カード１には、例えば右側縁に凹部２が形成されている。また、前端部の右隅部には斜めに切り欠かれた切り欠き３を備えている。さらに、左側縁には、この第１カード１に対する書き込みを禁止するプロテクトボタン４を備えている。同図１は、このプロテクトボタン４が書き込み禁止側に操作された状態を示している。このようにプロテクトボタン４が書き込み禁止側に操作されると、第１カード１に対する書き込みが禁止される。また、プロテクトボタン４が書き込み禁止側に操作されないと、第１カード１に対する書き込みが可能となる。
【００２４】
本実施形態は、上述した第１カード１の他に、側縁に凹部が形成されていない後述の第２カード５が使用可能である。この第２カード５も、第１カード１の切り欠き３と同様の切り欠き６を備えている。また、プロテクトボタン４と同様のプロテクトボタンを備えている。
【００２５】
これらの第１カード１と第２カード５の幅寸法、すなわちカード挿抜方向と直交する方向の寸法は、ほぼ同等に設定されている。
【００２６】
本実施形態のカード用コネクタ装置の手前側部分には、同図１に示すように、第１カード１、第２カード５が挿入されるカード挿入口１０を形成してある。装置奥側には、第１カード１、第２カード５の裏面に形成される接続部材に接触可能で、外部信号系統に接続される複数の端子部材１１を備えている。
【００２７】
同図１に示すように、例えば装置の右側端部には、第１カード１、第２カード５を排出方向へ押し出すスライダ１２と、このスライダ１２を排出方向へ付勢する付勢部材１３とを設けてある。スライダ１２の前端部側には、第１カード１の切り欠き３、第２カード５の切り欠き６に係合する傾斜部２０を設けてある。
【００２８】
また、一端がスライダ１２に片持ち支持され、他端が自由端部３２を形成するとともに、第１カード１の凹部２に係合し、この第１カード１を保持する突出部２７を有する係合弾性部材１５を備えている。さらに後述するように、付勢部材１５の付勢力に抗して、第１カード１、第２カード５に対する信号の送受信が可能な位置である所定の装着位置にスライダ１２をロックする後述のロック機構１４を備えている。
【００２９】
装置の左側端部には、後述するスイッチ機構１６を備えている。このスイッチ機構１６は、第１カード１、第２カード５が所定の装着位置に装着されたことを検出する第１スイッチ１７と、第１カード１、第２カード５に対する書き込み禁止を検出する第２スイッチ１８とを含んでいる。例えば、第１スイッチ１７と第２スイッチ１８とをカード挿抜方向に、すなわち同図１の前後方向に沿って一直線上に配置してある。また、カードに対する書き込み禁止を検出する第２スイッチ１８をカード挿入口１０に近くなる側に位置させ、第１スイッチ１７をカード挿入口１０から遠くなる側に位置させてある。
【００３０】
［ロック機構］
図２〜５は本実施形態に備えられる係合弾性部材及びロック機構部分を示す図である。
【００３１】
図２は本実施形態に、側縁に凹部２が形成された第１カード１が差し込まれた挿入時の状態を示す図である。図３は図２に示す状態からさらに第１カード１が押し込まれ所定の装着位置に保持された状態を示す図で、（ａ）図は要部平面図、（ｂ）図は（ａ）図のＡ−Ａ矢視に相当する側面図である。
【００３２】
図４は本実施形態に、側縁に凹部が形成されていない第２カード５が差し込まれた挿入時の状態を示す図である。図５は図４に示す状態からさらに第２カード５が押し込まれ所定の装着位置に保持された状態を示す図で、（ａ）図は図３の（ａ）図に対応する要部平面図、（ｂ）図は図３の（ｂ）図に対応する側面図である。
【００３３】
これらの図２〜５に示すように、上述したロック機構１４は、一端がスライダ１２に揺動可能に設けられ、他端にピン２１を有する摺動部材２２と、この摺動部材２２のピン２１が案内されるハート型カム溝２３とを含んでいる。
【００３４】
ハート型カム溝２３は、往路２４と、復路２５と、これらの往路２４と復路２５の境界部を形成するロック部２６とを有する。
【００３５】
［規制部・規制解除手段］
本実施形態は、第１カード１が所定の装着位置に装着されている状態で、係合弾性部材１５の第１カード１の凹部２からの離脱を規制する規制部を備えている。この規制部は、例えば図３の（ａ）（ｂ）図に示すように、ハウジングに設けられ、第１カード１が所定の装着位置に保持されている状態で、係合弾性部材１５の自由端部３２の移動を規制する壁部３０から成っている。
【００３６】
また本実施形態は、側縁に凹部が形成されていない第２カード５が挿入された際に、上述した規制部、すなわち壁部３０による係合弾性部材１５に対する規制を解除する規制解除手段を備えている。この規制解除手段は、第２カード５が挿入された際、係合弾性部材１５の自由端部３２の壁部３０の外側方向への移動を許容させる許容手段から成っている。この許容手段は、例えば図５の（ａ）（ｂ）図に示すように、係合弾性部材１５に設けられ、係合弾性部材１５と壁部３０との衝合を生じさせない切り欠き３１から成っている。この切り欠き３１部分に壁部３０の下端部分が収容可能になっている。
【００３７】
［スイッチ機構］
図６は本実施形態に備えられるスイッチ機構を構成する固定接点部分を示す図で、（ａ）図は要部平面図、（ｂ）図は側面図である。
【００３８】
図７，８は本実施形態に備えられるスイッチ機構を示す図である。図７の（ａ）図は要部平面図、（ｂ）図は上述の第１スイッチ１７及び第２スイッチ１８の双方がオフとなっている状態を示す（ａ）図のＢ−Ｂ断面図である。図８の（ａ）図は第１スイッチ１７がオン、第２スイッチ１８がオフとなっている状態を示す図７の（ａ）図のＢ−Ｂ断面に対応する側断面図、（ｂ）図は第１スイッチ１７がオフ、第２スイッチ１８がオンとなっている状態を示す図７の（ａ）図のＣ−Ｃ断面に対応する側断面図である。
【００３９】
本実施形態は、第１カード１、第２カード５が所定の装着位置に装着されたことを検出する第１スイッチ１７が、ハウジングに設けた例えば図６の（ａ）（ｂ）に示す固定接点を有する。この固定接点は、所定間隔で対向して配置される接点部３５，３６を含んでいる。また、第１カード１、第２カード５への書き込み禁止を検出する第２スイッチ１８が、ハウジングに設けた図６の（ａ）（ｂ）図に示す固定接点を有する。この固定接点は、所定間隔で対応して配置される接点部３７，３８を含んでいる。
【００４０】
また本実施形態は、第１カード１、第２カード５が所定の装着位置に装着されたことを検出する上述の第１スイッチ１７が、第１カード１、第２カード５の所定の装着位置への移動に伴って動作する可動接点、すなわち図７等に示す捻りコイルばね４３を有する。この捻りコイルばね４３の一端４４は、例えば上述した接点部３６に常時接触するように配置してある。他端４５は、捻りコイルばね４３の非拡開時には接点部３５に対して非接触の状態に保たれ、第１カード１、第２カード５の所定の装着位置への移動に伴う捻りコイルばね４３の拡開時に、接点部３５に接触するように配置してある。
【００４１】
この第１スイッチ１７に含まれる捻りコイルばね４３は、同図７に示すように、樹脂製のアクチュエータ部材４０に保持される。すなわち、アクチュエータ部材４０は、捻りコイルばね４３を保持する軸４２を有する。また、図８の（ｂ）図に示すように、第１カード１、第２カード５によって押圧される斜面部４６を有し、ハウジングに取り付けられるピン４１によって支持されている。ピン４１は、アクチュエータ部材４０を上下方向に回動可能に支持する支持手段を構成している。
【００４２】
第１カード１、第２カード５に対する書き込み禁止を検出する第２スイッチ１８も上述と同様の可動接点を有する。すなわち、図７等に示す捻りコイルばね５３から成る可動接点を有する。この捻りコイルばね５３の一端５４は、例えば上述した接点部３８に常時接触するように配置してある。他端５５は、捻りコイルばね５３の非拡開時には接点部３７に対し非接触の状態に保たれ、第１カード１、第２カード５のプロテクトボタン４等が書き込み禁止側の状態にあるときの捻りコイルばね５３の拡開時に、接点部３７に接触するように配置させてある。
【００４３】
この第２スイッチ１８に含まれる捻りコイルばね５３も、図７の（ａ）（ｂ）図に示すように、樹脂製のアクチュエータ部材５０に保持されている。すなわち、アクチュエータ部材５０は、捻りコイルばね５３を保持する軸５２を有する。また、図８の（ｂ）図に示すように、第１カード１、第２カード５の書き込み禁止側に操作されたプロテクトボタン４等によって押圧される斜面部５６を有し、ハウジングに取り付けられるピン５１によって支持されている。ピン５１は、アクチュエータ部材５０を上下方向に回動可能に支持する支持手段を構成している。
【００４４】
このように構成した本実施形態の動作について以下に説明する。
【００４５】
［カード挿入前の待機状態］
第１カード１あるいは第２カード５が挿入される前にあっては、例えば図２に示すように、スライダ１２が付勢部材１３によってカード挿入口１０側に付勢されている。これに伴って、スライダ１２に連結される摺動部材２２のピン２１がハート型カム溝２３の待機位置に保持されている。
【００４６】
また、スイッチ機構１６に含まれるスイッチ、例えば第１カード１、第２カード５が所定の装着位置に装着されたことを検出する第１スイッチ１７は、図７の（ｂ）図に示すように、可動接点を構成する捻りコイルばね４３の一端４４が接点部３６に接触し、他端４５が接点部３５から離れている。したがって、接点部３５，３６間は非導通となっている。同様に、第１カード１、第２カード５に対する書き込み禁止を検出する第２スイッチ１８は、可動接点を構成する捻りコイルばね５３の一端５４が接点部３８に接触し、他端５５が接点部３７から離れている。したがって、接点部３７，３８間は非導通となっている。
【００４７】
［第１カード１の装着操作（書き込み可能時）］
今仮に、側縁に凹部２が形成されている第１カード１のプロテクトボタン４が書き込み禁止側に操作されていない状態に保たれ、第１カード１に対する書き込み操作が可能なものとする。
【００４８】
このようにデータの書き込みが可能な状態にある第１カード１が図２に示すようにカード挿入口１０から差し込まれ、さらに装置奥側に向かって押し込まれると、第１カード１の前端部の隅部に形成された切り欠き３がスライダ１２の傾斜部２０に係合し、このスライダ１２が付勢部材１３の付勢力に抗して装置奥側に向って第１カード１と共に移動する。このスライダ１２の移動によりロック機構１４を構成する摺動部材２２のピン２１が、ハート型カム溝２３の往路２４上を案内される。
【００４９】
なお、例えば第１カード１の挿入時に、図２に示すように、スライダ１２に片持ち支持された係合弾性部材１５の突出部２７が第１カード１の凹部２に係合し、第１カード１が係合弾性部材１５を介してスライダ１２に保持される。
【００５０】
第１カード１が所定の装着位置に近づくと、第１スイッチ１７の捻りコイルばね４３を保持するアクチュエータ部材４０の斜面部４６に、この第１カード１が係合する。この第１カード１に与えられる押し込み力により、アクチュエータ部材４０が捻りコイルばね４３のばね力に抗して、図８の（ａ）図に示すように、下方向に回動する。したがって、このアクチュエータ部材４０の回動に伴って捻りコイルばね４３の両端部が拡開し、この捻りコイルばね４３の一端４４が接点部３６に接触した状態に保持されるとともに、他端４５が接点部３５に接触する。
【００５１】
上述した第１カード１の押し込み操作によってスライダ１２が装置の最奥端までオーバストロークされた状態で第１カード１に対する押し込み力が解かれると付勢部材１３の付勢力によりスライダ１２がわずかながらカード挿入口１０方向に戻される。この間、スライダ１２と一体に移動する摺動部材２２のピン２１が、ハート型カム溝２３の往路２４からロック部２６へと移動し、このロック部２６で係止される。これにより、第１カード１は所定の装着位置に至り、スライダ１２がロックされる。
【００５２】
この状態においては、上述のように第１スイッチ１７の捻りコイルばね４３を介して接点部３５，３６間が導通し、オンとなる。すなわち、第１カード１が所定の装着位置に装着されたことを検出する信号が第１スイッチ１７から出力される。
【００５３】
所定の装着位置においては、第１カード１の裏面に設けられる図示しない接続部材と、図１に示す端子部材１１とが接触状態に保たれる。したがって、この第１カード１に対する書き込み操作を含めて信号の送受信が可能となる。
【００５４】
なお、このように第１カード１が所定の装着位置に保持されている間、第２スイッチ１８は図８の（ａ）図に示すようにオフ状態に保たれる。すなわち、第１カード１のプロテクトボタン４が今は書き込み禁止側に操作されていないので、第１カード１のプロテクトボタン４とアクチュエータ部材５０とが係合していない。したがって、アクチュエータ部材５０は上方位置すなわち待機位置に保持され、第２スイッチ１８の捻りコイルばね５３の他端５５は接点部３７から離れた状態に保たれる。
【００５５】
また、このように第１カード１が所定の装着位置に保持されている状態では、図３の（ａ）（ｂ）図に示すように、第１カード１の凹部２に係合している係合弾性部材１５の自由端部３２が、壁部３０に対向するように位置している。したがって、この係合弾性部材１５の動きは自由端部３２が壁部３０に当ることによって阻止される。すなわち、係合弾性部材１５が第１カード１の凹部２から離脱しないように、壁部３０によって規制された状態に保たれる。
【００５６】
［第１カード１の排出操作］
第１カード１の排出操作に際しては、この第１カード１を再び押す操作が実施される。すなわち、挿入時に１回第１カード１がプッシュされ、排出時に再び第１カード１がプッシュされるプッシュ・プッシュタイプが形成されている。
【００５７】
上述したように第１カード１が所定の装着位置に保持されている状態から、第１カード１を装置の最奥端まで押し込んで、再びオーバストロークさせると、ロック機構１４を構成する摺動部材２２のピン２１がハート型カム溝２３のロック部２６から外れ、復路２５へと移動する。これによりスライダ１２のロックが解除され、スライダ１２は付勢部材１３の付勢力によってカード挿入口１０方向へ移動する。このスライダ１２の移動により第１カード１は、図２に示す所定の排出位置まで押し出される。
【００５８】
この間、係合弾性部材１５の突出部２７は第１カード１の凹部２に係合した状態に保持される。また、スライダ１２の排出方向への移動に伴って、このスライダ１２に連結されている摺動部材２２のピン２１は、ハート型カム溝２３の復路２５を案内され、待機位置に戻される。
【００５９】
また、スライダ１２の移動に伴う第１カード１の移動によって、アクチュエータ部材４０の斜面部４６に与えられていた押圧力が除かれ、捻りコイルばね４３のばね力によってアクチュエータ部材４０は上方向に回動し、図７の（ｂ）図に示す待機位置に復帰する。したがって、捻りコイルばね４３の他端４５は接点部３５から離れ、第１スイッチ１７はオフ状態となる。
【００６０】
このようにして所定の排出位置まで戻された第１カード１は、カード挿入口１０から容易に抜き取ることができる。例えば、この抜き取り操作に伴って第１カード１の凹部２から係合弾性部材１５の突出部２７が離脱する。この際、係合弾性部材１５は第１カード１から離れる方向に変位するが、所定の排出位置にあっては、この係合弾性部材１５の変位を妨げるものは設けられていない。したがって、第１カード１を何ら支障なく抜き取ることができる。
【００６１】
［第１カード１の装着操作（書き込み禁止時）］
例えば、側縁に凹部２が形成されている上述の第１カード１のプロテクトボタン４が書き込み禁止側に操作され、第１カード１に対する書き込みが禁止された状態にあるものとする。
【００６２】
このような状態にある第１カード１の装着操作は、書き込み禁止の検出操作を除けば、上述した装着操作と同じである。したがって、以下においては書き込み禁止の検出操作についてだけ述べる。
【００６３】
プロテクトボタン４が書き込み禁止側に操作された第１カード１がカード挿入口１０から挿入され、装置奥側に押し込まれると、第１カード１のプロテクトボタン４が第２スイッチ１８に関連して設けられているアクチュエータ部材５０の斜面部５６に係合する。第１カード１に与えられる押し込み力により、この第１カード１のプロテクトボタン４を介して、アクチュエータ部材５０が捻りコイルばね５３のばね力に抗して、図８の（ｂ）図に示すように、下方向に回動する。
【００６４】
したがって、このアクチュエータ部材５０の回動に伴って捻りコイルばね５３の両端部が拡開し、図８の（ｂ）図に示すように、この捻りコイルばね５３の一端５４が接点部３８に接触した状態に保持されるとともに、他端５５が接点部３７に接触する。これにより接点部３７，３８間が導通し、オンとなる。すなわち、例えば第１カード１の所定の装着位置への装着完了前あるいは装着完了後の所定時期において、第１カード１への書き込み禁止を検出する信号が第２スイッチ１８から出力される。
【００６５】
また、第１カード１の排出時には、スライダ１２のカード挿入口１０方向への移動に伴う第１カード１の移動によって、アクチュエータ部材５０の斜面部５６に与えられていた押圧力が除かれ、捻りコイルばね５３のばね力によりアクチュエータ部材５０は上方向に回動し、図７の（ｂ）図に示す待機状態に復帰する。したがって、捻りコイルばね５３の他端５５は接点部３７から離れ、第２スイッチ１８はオフ状態となる。
【００６６】
［第２カード５の装着操作（書き込み可能時）］
今仮に、側縁に凹部が形成されていない第２カード５の図示しないプロテクトボタンが書き込み禁止側に操作されていない状態に保たれ、第２カード５に対する書き込み操作が可能なものとする。
【００６７】
このようにデータの書き込みが可能な状態にある第２カード５が図４に示すようにカード挿入口１０から差し込まれ、さらに装置奥側に向かって押し込まれると、第２カード５の前端部の隅部に形成された切り欠き６がスライダ１２の傾斜部２０に係合し、このスライダ１２が付勢部材１３の付勢力に抗して装置奥側に向って第２カード５と共に移動する。このスライダ１２の移動によりロック機構１４を構成する摺動部材２２のピン２１が、ハート型カム溝２３の往路２４上を案内される。
【００６８】
なお、第２カード５の挿入時に、図４に示すように、スライダ１２に片持ち支持された係合弾性部材１５の突出部２７が、凹部が形成されていない第２カード５の側縁３３に係合する。これによって係合弾性部材１５は、自身のばね力に抗して第２カード５から離れる方向に変位する。この変位により係合弾性部材１５に設けた切り込み３１が、壁部３０に対向する位置、すなわちカード挿抜方向に沿う同一直線上に壁部３０とともに位置するように移動する。
【００６９】
第２カード５が所定の装着位置に近づくと、係合弾性部材１５の切り込み３１が壁部３０の下側に位置する状態となる。したがって、係合弾性部材１５と壁部３０との衝合を生じることなくスライダ１２は装置の奥側位置に向って移動する。
【００７０】
また、第２カード５が所定の装着位置に近づくと、第１スイッチ１７の捻りコイルばね４３を保持するアクチュエータ部材４０の斜面部４６に、この第２カード５が係合する。この第２カード５に与えられる押し込み力により、前述したように、アクチュエータ部材４０が回動し、捻りコイルばね４３の両端部が拡開する。したがって、この捻りコイルばね４３の一端４４が接点部３６に接触した状態に保持されるとともに、他端４５が接点部３５に接触する。
【００７１】
上述した第２カード５の押し込み操作によってスライダ１２が装置の最奥端までオーバストロークされた状態で第２カード５に対する押し込み力が解かれると、前述したように、第２カード５は所定の装着位置に至り、スライダ１２がロックされる。
【００７２】
この状態においては、上述のように第１スイッチ１７の捻りコイルばね４３を介して接点部３５，３６間が導通し、オンとなる。すなわち、第２カード５が所定の装着位置に装着されたことを検出する信号が第１スイッチ１７から出力される。
【００７３】
所定の装着位置においては、第２カード５の裏面に設けられる図示しない接続部材と、図１に示す端子部材１１とが接触状態に保たれる。したがって、この第２カード５に対する書き込み操作を含めて信号の送受信が可能となる。
【００７４】
なお、このように第２カード５が所定の装着位置に保持されている間、第２スイッチ１８は前述したように、オフ状態に保たれる。
【００７５】
また、このように第２カード５が所定の装着位置に保持されている状態では、図５の（ａ）（ｂ）図に示すように、係合弾性部材１５の切り欠き３１に、壁部３０の下端部が収容された状態となる。したがって、この係合弾性部材１５の自由端部３２は、壁部３０の外側に逃がされた状態となる。すなわち、壁部３０による係合弾性部材１５に対する規制は解除された状態に保たれる。
【００７６】
［第２カード５の排出操作］
第２カード５の排出操作は、前述した第１カード１における排出操作と同様にしておこなわれる。
【００７７】
すなわち、第２カード５が所定の装着位置に保持されている状態から、再び第２カード５を装置の最奥端まで押し込むと、スライダ１２のロックが解除され、スライダ１２は付勢部材１３の付勢力によってカード挿入口１０方向へ移動する。このスライダ１２の移動により第２カード５は、図４に示す所定の排出位置まで押し出される。
【００７８】
この間、係合弾性部材１５の切り欠き３１部分が壁部３０の下側を通るようにして、スライダ１２の排出方向への移動と一体的にこの係合弾性部材１３が移動する。また、スライダ１２の移動に伴って、このスライダ１２に連結されている摺動部材２２のピン２１は、ハート型カム溝２３の復路２５を案内され、待機位置に戻される。
【００７９】
スライダ１２の移動に伴う第２カード５の移動によって、アクチュエータ部材４０の斜面部４６に与えられていた押圧力が除かれると、前述したように第１スイッチ１７はオフ状態となる。
【００８０】
このようにして所定の排出位置まで戻された第２カード５は、カード挿入口１０から容易に抜き取ることができる。
【００８１】
［第２カード５の装着操作（書き込み禁止時）］
例えば、側縁に凹部が形成されていない上述の第２カード５の図示しないプロテクトボタンが書き込み禁止側に操作され、第２カード５に対する書き込みが禁止された状態にあるものとする。
【００８２】
このような状態にある第２カード５の装着操作は、前述した書き込み禁止の処理がなされた第１カード１の装着操作のときと同じである。
【００８３】
すなわち、図示しないプロテクトボタンが書き込み禁止側に操作された第２カード５がカード挿入口１０から挿入され、装置奥側に押し込まれると、第２カード５のプロテクトボタンが第２スイッチ１８に関連して設けられているアクチュエータ部材５０の斜面部５６に係合する。第２カード５に与えられる押し込み力により、プロテクトボタンとの当接を介してアクチュエータ部材５０が図８の（ｂ）図に示すように、下方向に回動し、捻りコイルばね５３の両端部が拡開する。したがって、この捻りコイルばね５３の一端５４が接点部３８に接触した状態に保持されるとともに、他端５５が接点部３７に接触し、これにより接点部３７，３８間が導通し、オンとなる。
【００８４】
また、第２カード５の排出時には、スライダ１２のカード挿入口１０方向への移動に伴う第２カード５の移動によって、アクチュエータ部材５０の斜面部５６に与えられていた押圧力が除かれ、アクチュエータ部材５０は上方向に回動し、図７の（ｂ）図に示す待機状態に復帰する。したがって、第２スイッチ１８はオフ状態となる。
【００８５】
このように構成した本実施形態は、側縁に凹部２が形成されている第１カード１が所定の装着位置に保持されている状態では、規制部すなわち壁部３０によって係合弾性部材１５は動きに制約が与えられる。これにより、係合弾性部材１５の第１カード１の凹部２からの離脱が規制され、この所定の装着位置において第１カード１を強固に保持できる。
【００８６】
また、側縁３３に凹部２が形成されていない第２カード５が挿入されたときは、係合弾性部材１５に設けた規制解除手段すなわち切り欠き３１によって、壁部３０による係合弾性部材１５に対する規制が解除される。したがって、第２カード５の側縁３３に係合弾性部材１５が接触したときには、この第２カード５に与えられる押し込み力によって係合弾性部材１５が自身の弾性に抗して第２カード５から離れる方向に変位し、これによって係合弾性部材１５の塑性変形を防止できる。
【００８７】
このように、第１カード１が所定の装着位置に装着されたときには、この第１カード１が強固に保持され、第２カード５が挿入された際には係合弾性部材１５の塑性変形を防止できることから、装置に対する高い信頼性を確保できる。
【００８８】
また本実施形態は、規制部がハウジングに設けられる壁部３０から成り、規制解除手段が、係合弾性部材１５の自由端部３２の壁部３０の外側方向への移動を許容させる許容手段、すなわち係合弾性部材１５に形成した切り欠き３１から成っている。上述の壁部３０は、ハウジングの製作時に同時に製作でき、上述の切り欠き３１は、係合弾性部材１５の製作時に同時に製作できる。したがって、製作が容易で、部材数の増加を招くことがない。これらにより、製作費を抑えることができる。
【００８９】
また本実施形態は、第１カード１、第２カード５が所定の装着位置に至ったときに、スライダ１２を付勢部材１３の付勢力に抗してロックするロック機構を備えている。これにより所定の装着位置において第１カード１、第２カード５を安定して保持させることができ、この点で装置の信頼性の確保に貢献する。
【００９０】
また本実施形態は、上述のロック機構が、スライダ１２に揺動可能に設けられ、ピン２１を有する摺動部材２２と、この摺動部材２２のピン２１が案内されるハート型カム溝２３とを含んでいる。上述したピン２１を含む摺動部材２２と、ハート型カム溝２３は簡単な構造であるので製作が容易である。したがって製作費の抑制に貢献する。
【００９１】
また本実施形態は、第１カード１、第２カード５が所定の装着位置に装着されたことを検出する第１スイッチ１７、及び第１カード１、第２カード５に対する書き込み禁止を検出する第２スイッチ１８が、金属板片を設けることのない構造、すなわち捻りコイルばね４３，５３を有する構造にしてある。捻りコイルばね４３，５３のばね力の設定は、線径、巻数等を考慮すればよい。したがって、これらの捻りコイルばね４３，５３の全長は、図７の（ａ）図に例示するように、比較的長尺となる金属板片に比べて短い長さ寸法６０，６１に設定することができる。これにより装置の小型化を実現できる。
【００９２】
さらに、捻りコイルばね４３，５３が、少ない巻数で所定のばね力を得ることができ、すなわち、これらの捻りコイルばね４３，５３の幅寸法を小さく設定でき、また、捻りコイルばね４３，５３を拡開させるアクチュエータ部材４０，５０の斜面部４６，５６の幅寸法を小さく設定できる。これらのことから、第１スイッチ１７、第２スイッチ１８の幅寸法を比較的小さく設定することができ、これによっても装置の小型化を実現できる。
【００９３】
また、第１スイッチ１、第２スイッチ５を構成する捻りコイルばね４３，５３は、線材を所定回数だけ巻き回し、所定長さ寸法に切断する程度の簡単な作業で製作できることから、フープ材の加工処理によって製作する金属板片の場合に比べて製作費を安く抑えることができる。
【００９４】
また本実施形態は、捻りコイルばね４３，５３のうちの該当するものをそれぞれ保持し、第１カード１、第２カード５が係合可能な樹脂製のアクチュエータ部材４０，５０を備え、第１カード１、第２カード５の移動によるアクチュエータ部材４０，５０の作動に伴って、捻りコイルばね４３，５３のそれぞれが拡開する構成にしてある。すなわち、第１カード１、第２カード５を、金属に比べて柔軟な樹脂製のアクチュエータ部材４０，５０に接触させるようにしてあることから、第１スイッチ１７、第２スイッチ１８の操作に伴う第１カード１、第２カード５の損耗を抑えることができる。
【００９５】
また本実施形態は、第１カード１、第２カード５への書き込み禁止を検出する第２スイッチ１８と、第１カード１、第２カード５が所定の装着位置に装着されたことを検出する第１スイッチ１７とを、カード挿抜方向に沿って一直線上に配置してある。特に、第２スイッチ１８をカード挿入口１０に近くなる側に位置させ、第１スイッチ１７をカード挿入口１０から遠くなる側に位置させた構成にしてある。これにより、スイッチ機構１６をカード挿抜方向に沿ってコンパクトな形状に配置でき、装置の小型化に貢献する。
【００９６】
【発明の効果】
本発明は以上のように構成してあることから、所定の装着位置で側縁に凹部が形成された第１カードを強固に保持でき、しかも側縁に凹部が形成されていない第２カードが挿入された際の係合弾性部材の塑性変形を防止でき、これらにより装置に対する高い信頼性を確保できる。
【図面の簡単な説明】
【図１】本発明のカード用コネクタ装置の一実施形態の基本構成を示す平面図である。
【図２】本実施形態に備えられるカードを保持する係合弾性部材及びロック機構部分を示し、本実施形態に、側縁に凹部が形成された第１カードが差し込まれた挿入時の状態を示す図である。
【図３】本実施形態に備えられる係合弾性部材及びロック機構部分を示し、図２に示す状態からさらに第１カードが押し込まれ所定の装着位置に保持された状態を示す図で、（ａ）図は要部平面図、（ｂ）図は（ａ）図のＡ−Ａ矢視に相当する側面図である。
【図４】本実施形態に備えられる係合弾性部材及びロック機構部分を示し、本実施形態に、側縁に凹部が形成されていない第２カードが差し込まれた挿入時の状態を示す図である。
【図５】本実施形態に備えられる係合弾性部材及びロック機構部分を示し、図４に示す状態からさらに第２カードが押し込まれ所定の装着位置に保持された状態を示す図で、（ａ）図は図３の（ａ）図に対応する要部平面図、（ｂ）図は図３の（ｂ）図に対応する側面図である。
【図６】本実施形態に備えられるスイッチ機構を構成する固定接点部分を示す図で、（ａ）図は要部平面図、（ｂ）図は側面図である。
【図７】本実施形態に備えられるスイッチ機構を示す図で、（ａ）図は要部平面図、（ｂ）図はカードの装着完了を検出する第１スイッチ、及びカードへの書き込み禁止を検出する第２スイッチの双方がオフとなっている状態を示す（ａ）図のＢ−Ｂ断面図である。
【図８】本実施形態のスイッチ機構を示す図で、（ａ）図は第１スイッチがオン、第２スイッチがオフとなっている状態を示す図７の（ａ）図のＢ−Ｂ断面に対応する側断面図、（ｂ）は第１スイッチがオフ、第２スイッチがオンとなっている状態を示す図７の（ａ）図のＣ−Ｃ断面に対応する側断面図である。
【符号の説明】
１    第１カード
２    凹部
３    切り欠き
４    プロテクトボタン
５    第２カード
６    切り欠き
１０  カード挿入口
１１  端子部材
１２  スライダ
１３  付勢部材
１４  ロック機構
１５  係合弾性部材
１６  スイッチ機構
１７  第１スイッチ
１８  第２スイッチ
２０  傾斜部
２１  ピン
２２  摺動部材
２３  ハート型カム溝
２４  往路
２５  復路
２６  ロック部
２７  突出部
３０  壁部（規制部）
３１  切り欠き（許容手段）〔規制解除手段〕
３２  自由端部
３３  側縁
３５  接点部（固定接点）
３６  接点部（固定接点）
３７  接点部（固定接点）
３８  接点部（固定接点）
４０  アクチュエータ部材
４１  ピン（支持手段）
４２  軸
４３  捻りコイルばね（可動接点）
４４  一端
４５  他端
４６  斜面部
５０  アクチュエータ部材
５１  ピン（支持手段）
５２  軸
５３  捻りコイルばね（可動接点）
５４  一端
５５  他端
５６  斜面部
６０  長さ寸法
６１  長さ寸法
【図１】
2004185818.tif 000003
【図２】
2004185818.tif 000004
【図３】
2004185818.tif 000005
【図４】
2004185818.tif 000006
【図５】
2004185818.tif 000007
【図６】
2004185818.tif 000008
【図７】
2004185818.tif 000009
【図８】
2004185818.tif 000010